(57)【要約】【課題】機能性に優れ、かつ居住空間にゆとりを持たせることのできるマンションの専有住戸の構造を提供する。【解決手段】専有住戸９の空間内に八角状広場１を配置し、玄関８から，八角状広場１の一辺に向かって前後方向に中廊下３ａを配置し、中廊下３ａを挟んで左右に配置した第一ルーム４ａと第二ルーム４ｂに通じる各ドア５ｂを，八角状広場１の玄関８側のそれぞれの斜辺に設け、八角状広場１の他の任意の一辺に，直接または第二廊下３ｂを介して通じるトイレルーム４ｆを配置し、前記八角状広場１の残りの四つの辺には，必要に応じドア５ｂを配して任意のルーム４または他の廊下３を配置し、八角状広場１の天井に広場照明装置６を設けてある。【選択図】図４
0003107449.tif 000002
【実用新案登録請求の範囲】
【請求項１】
専有住戸（９）の空間内に八角状広場（１）を配置し、玄関（８）から，八角状広場（１）の一辺に向かって前後方向に中廊下（３ａ）を配置し、中廊下の左右に第一ルーム（４ａ）と第二ルーム（４ｂ）を配置し、八角状広場の他の五辺にそれぞれ他の廊下（３）・固定壁（５ａ）又はドア（５ｂ）のいずれかを設け、八角状広場（１）の天井に広場照明装置（６ａ）を設けてなるマンションの専有住戸の構造。
【請求項２】
専有住戸（９）の空間内に八角状広場（１）を配置し、玄関（８）から，八角状広場（１）の一辺に向かって前後方向に中廊下（３ａ）を配置し、中廊下を挟んで左右に配置した第一ルーム（４ａ）と第二ルーム（４ｂ）に通じる各ドア（５ｂ）を，八角状広場の玄関側のそれぞれの斜辺に設け、八角状広場の他の任意の一辺に，直接または第二廊下（３ｂ）を介して通じるトイレルーム（４ｆ）を配置し、八角状広場の残りの四つの辺には，必要に応じドア（５ｂ）を介して任意のルーム（４）または他の廊下（３）を配置し、八角状広場（１）の天井に広場照明装置（６）を設けてなるマンションの専有住戸の構造。
【請求項３】
八角状広場（１）の固定壁（５ａ）に壁がん（７）を凹設してなる請求項１又は２記載のマンションの専有住戸の構造。
【請求項４】
玄関（８）に玄関照明装置（６ｂ）を配置してなる請求項１，２又は３記載のマンションの専有住戸の構造。
【考案の詳細な説明】
【技術分野】
【０００１】
本考案は、玄関及びそれに連続して中廊下を設けたマンションの専有住戸の構造に関するものである。
【背景技術】
【０００２】
従来、マンションの住戸構造は、一般に、直線状に配置した中廊下の左右側や突き当たり部分に部屋やトイレルームを配置している。従って、住人は、その中廊下を通って他の部屋やトイレルームに移動する必要がある。
【考案の開示】
【考案が解決しようとする課題】
【０００３】
しかし、こうした従来の住戸の構造においては、通常、中廊下は幅が狭いため、当該中廊下で住人がすれ違う場合などには、互いがよけるようにして歩く必要がある。また、例えば、玄関側の部屋から中廊下の突き当たり部分に配置した部屋あるいはトイレルームに行くには、その狭い中廊下を移動しなければならない。こうした点で従来の住戸の構造は、その機能性において改善すべき余地がある。また、従来の住戸の構造における中廊下は狭いため、居住空間にゆとりが感じられず、こうした点においても改善の余地が残されている。
【０００４】
本考案はこうした問題に鑑み創案されたもので、機能性に優れ、かつ居住空間にゆとりを持たせることのできる専有住戸の構造を提供することを課題とする。
【課題を解決するための手段】
【０００５】
請求項１の考案に係るマンションの専有住戸の構造は、専有住戸９の空間内に八角状広場１を配置し、玄関８から，八角状広場１の一辺に向かって前後方向に中廊下３ａを配置し、中廊下３ａの左右に第一ルーム４ａと第二ルーム４ｂを配置し、八角状広場１の他の五辺にそれぞれ他の廊下３・固定壁５ａ又はドア５ｂのいずれかを設け、八角状広場１の天井に広場照明装置６ａを設けてなるものである。
【０００６】
請求項２の考案に係るマンションの専有住戸の構造は、専有住戸９の空間内に八角状広場１を配置し、玄関８から，八角状広場１の一辺に向かって前後方向に中廊下３ａを配置し、中廊下３ａを挟んで左右に配置した第一ルーム４ａと第二ルーム４ｂに通じる各ドア５ｂを，八角状広場１の玄関８側のそれぞれの斜辺に設け、八角状広場１の他の任意の一辺に，直接または第二廊下３ｂを介して通じるトイレルーム４ｆを配置し、八角状広場１の残りの四つの辺には，必要に応じドア５ｂを介して任意のルーム４または他の廊下３を配置し、八角状広場１の天井に広場照明装置６を設けてなるものである。
【０００７】
請求項３の考案に係るマンションの専有住戸の構造は、請求項１又は２のマンション専有住戸の構造において、八角状広場１の固定壁５ａに壁がん７を凹設してなるものである。
【０００８】
請求項４の考案に係るマンションの専有住戸の構造は、請求項１，２又は３のマンションの専有住戸の構造において、玄関８に玄関照明装置６ｂを配置してなるものである。
【考案の効果】
【０００９】
本考案の住戸の構造は、居住空間の中程に、中廊下３ａより幅広の八角状広場１を配置すると共に、玄関８からその八角状広場１に向かって中廊下３ａを配置しているので、ゆとりのある居住空間を現出することができる。
【００１０】
また、八角状広場１の天井には広場照明装置６ａを設けているので、広場照明装置６ａを点灯することによって八角状広場１が現出する居住空間をより広く視覚させることができ、さらにゆとりのある居住空間を作り出すことができる。
【００１１】
請求項２の住戸の構造は、居住空間の中程に、中廊下３ａより幅広の八角状広場１を配置すると共に、玄関８から，八角状広場１に向かって前後方向に中廊下３ａを配置し、中廊下３ａを挟んで左右に配置した第一ルーム４ａと第二ルーム４ｂに通じる各ドア５ｂを、八角状広場の玄関８側のそれぞれの斜辺に設けている。また、八角状広場１の他の任意の一辺に、直接または第二廊下３ｂを介して通じるトイレルーム４ｆを配置し、八角状広場１の残りの四つの辺には、必要に応じドア５ｂを介して任意のルーム４または他の廊下３を配置している。従って、居住空間の中程に位置する八角状広場１から全ての部屋４およびトイレルーム４ｆに行くことができ便利である。また、この八角状広場１は中廊下３ａより幅広に設定しているので、ゆとりのある居住空間を現出することができる。
【００１２】
また、八角状広場１及び玄関８の天井には照明装置６ａ，６ｂを設けているので、当該照明装置を点灯することによって八角状広場１が現出する居住空間をより広く視覚させることができ、さらにゆとりのある居住空間を作り出すことができる。
【００１３】
更に、八角状広場１の固定壁５ａに壁がん７を設けると、八角状広場１の効果が一層向上する。
【考案を実施するための最良の形態】
【００１４】
図１〜図５において、９は専有住戸、２は専有住戸９の空間内の床面上に描いた仮想八角形，２ａは仮想八角形２の任意な一辺、８は専有住戸９の玄関、１は専有住戸９の中程に設けた八角状広場で、仮想八角形２の各辺２ａに沿って設けられている。
【００１５】
３は廊下で、そのうち玄関８と八角状広場１とを結ぶ中廊下は３ａで、３ｂは第二廊下である。
【００１６】
５は鉛直な仕切り面で、鉛直な仕切り面のうち、５ａは固定壁で、５ｂはドアである。
【００１７】
４は各種ルームで、そのうち４ａ・４ｂは中廊下を挟んで対置した第一ルーム・第二ルームであり、４ｃは第三ルーム，４ｄは納戸，４ｅはクローゼットルームで４ｆはトイレルームである。
【００１８】
６は照明装置で、そのうち６ａは広場照明装置、６ｂは玄関照明装置である。７は八角状広場１の固定壁５ａに凹設した壁がん（ニッチ）である。
【００１９】
図１の第１実施形態のものは、八角状広場１が正八角形状で、中廊下３ａに第２ルームに通じるドア５ｂが設けてある。
【００２０】
図２の第２実施形態のものは、八角状広場１の左右固定壁５ａを長くしたところの前後方向に長い八角状広場である。
【００２１】
図３の第３実施形態のものは、十字状に廊下３，３ａを配置してある。
【００２２】
図４の第４実施形態のものは、玄関８から、居住空間の中程に配置した八角状広場１に向かって、前後方向に中廊下３ａを配置している。この八角状広場１は、平面略正八角形の形状であり、八角状広場１の一辺の長さを中廊下３ａの幅と等しく設定している。
【００２３】
また、中廊下３ａを挟んで第１ルーム４ａと第２ルーム４ｂを左右に配置し、それぞれのドア５ｂを八角状広場１の玄関８側の斜辺２ａに設けている。さらに、八角状広場１の他の一辺に、直接、トイレルーム４ｆを配置している。そして、八角状広場１の残りの四辺には３つのルーム４と第三廊下３を配置している。なお、第４実施形態では、この三つのルーム４のうち、一つを第３ルーム４ｃとし、二つ目を納戸４ｄとし、残りをクローゼットルーム４ｅとしている。八角状広場１の天井には、広場照明装置６を設けている。
【００２４】
この第４実施形態に係る住宅構造は、居住空間の中程に八角状広場１を配置し、そこから第１ルーム４ａ、第２ルーム４ｂ、第３ルーム４ｃおよび納戸４ｄに行くことができるように設定しているので、各部屋４への移動がきわめて便利であり、機能性に優れる。また、八角状広場１は中廊下３ａより幅広に設定しているので、ゆとりのある居住空間を現出することができる。なお、広場照明装置６ａを点灯することによって、八角状広場１の広い空間をさらに広く感じさせることができる。
【００２５】
図５の第５実施形態のものは、玄関８から、居住空間の中程に配置した八角状広場１に向かって、前後方向に中廊下３ａを配置し、その中廊下３ａを挟んで左右に配置した第１ルーム４ａと第２ルーム４ｂに通じるドア５ｂを、八角状広場１の玄関８側の斜辺に設けている。
【００２６】
また、八角状広場１の他の任意の一辺に、第二廊下３ｂを介して通じるトイレルーム４ｆを配置している。さらに、八角状広場１の残りの四つの辺またはその延長部には、二つのルーム４と二つのクローゼット４ｅを配置している。また、八角状広場１の天井には広場照明装置６を設けている。
【００２７】
この第５実施形態のものにおいても、第４実施形態の場合と同様に、八角状広場１から各ルーム４に行くことができるので利便性に優れる。また、八角状広場１は中廊下３ａより幅広に設定しているので、ゆったりとした居住空間を作り出すことができる。さらに、広場照明装置６ａによって、八角状広場１が現出する居住空間を、よりゆとりあるものとすることができる。
【００２８】
なお、ルーム４には、前記したものの他、リビングダイニングルームや洗面所あるいは浴室も含まれる。
【図面の簡単な説明】
【００２９】
【図１】本考案に係る専有住戸の構造の第１実施形態を示す平面図である。
【図２】本考案に係る専有住戸の構造の第２実施形態を示す平面図である。
【図３】本考案に係る専有住戸の構造の第３実施形態を示す平面図である。
【図４】本考案に係る専有住戸の構造の第４実施形態を示す平面図である。
【図５】本考案に係る専有住戸の構造の第５実施形態を示す平面図である。
【符号の説明】
【００３０】
１      八角状広場
２      仮想八角形
２ａ    仮想八角の一辺
３      廊下
３ａ    中廊下
３ｂ    第二廊下
４      ルーム
４ａ    第１ルーム
４ｂ    第２ルーム
４ｃ    第３ルーム
４ｄ    納戸
４ｅ    クローゼットルーム
４ｆ    トイレルーム
５      鉛直仕切り面
５ａ    固定壁
５ｂ    ドア
６      照明装置
６ａ    広場照明装置
６ｂ    玄関照明装置
７      壁がん
８      玄関
９      専有住戸
【図１】
0003107449.tif 000003
【図２】
0003107449.tif 000004
【図３】
0003107449.tif 000005
【図４】
0003107449.tif 000006
【図５】
0003107449.tif 000007